(57)【特許請求の範囲】
【請求項１】
天井面に嵌め込み固定された固定枠と、光源を保持し、前記固定枠に着脱可能に組み付けられた光源ユニットとを備える照明装置において、
前記光源ユニットは、一面に光源が固定された矩形の支持板と、該支持板の一辺から外向きに突出しており、先端部を広幅とし、基部を狭幅とした段付きの矩形平板状をなす係止部とを備え、
前記固定枠は、周壁の一部に形成され、上側を広幅とし、下側を狭幅とした段付き穴状をなす保持穴を備えており、
前記光源ユニットは、前記係止部を前記保持穴に夫々の狭幅部分で係合させ、前記支持板の他辺を前記固定枠にねじ止めして組み付けてあることを特徴とする照明装置。
【請求項２】
前記係止部は、前記支持板に一側を固定した板状の係合金具の他側を前記一辺の外側に突出させて設けてあることを特徴とする請求項１に記載の照明装置。
【請求項３】
前記係合金具は、長さ方向に沿って延びるリブを一体成形してある短冊形の板状部材であることを特徴とする請求項２に記載の照明装置。
【請求項４】
前記係止部の広幅部分の幅は、前記保持穴の広幅部分の幅よりも小さく、前記保持穴の狭幅部分の幅よりも大きくしてあり、
前記係止部の狭幅部分の幅は、前記保持穴の狭幅部分の幅よりも小さくしてあることを特徴とする請求項１から請求項３のいずれか１つに記載の照明装置。
【発明の詳細な説明】
【技術分野】
【０００１】
本発明は、埋め込み型の照明装置に関する。
【背景技術】
【０００２】
住宅、オフィス、店舗用の照明装置として、天井面に埋め込み設置して用いられる埋め込み型の照明装置が広く用いられている。一方、近年においては、白熱電球、蛍光灯等の従前の光源に換えて、ＬＥＤ（発光ダイオード）等の発光素子を光源として用いた照明装置の普及が進んでおり、ＬＥＤを光源とする埋め込み型の照明装置も種々提案されている（例えば、特許文献１、２参照）。
【０００３】
特許文献１、２に記載された照明装置は、天井面に開設された取り付け穴に嵌め込み固定される固定枠と、複数のＬＥＤを縦横に並べて保持する光源ユニットとを備え、該光源ユニットを前記固定枠に着脱可能に取り付けて構成されている。この構成によれば、固定枠から光源ユニットを取り外すことにより、清掃、点検、交換等のメンテナンス作業を実施することができる。
【０００４】
一方、光源ユニットの着脱に際しては、天井面の近くで光源ユニットを下から支え、固定枠に設けた給電部との接続又は接続解除作業を含めた種々の作業を実施する必要があり、作業性が悪いという問題がある。
【０００５】
特許文献１に記載の照明装置は、光源ユニットの周縁の複数箇所に外向きに延びる板バネを取り付け、これらの板バネを固定枠の対応する位置に設けた係止孔に夫々差し込み、各板バネの付勢力により取り付け状態を保つように構成してある。各板バネの先端には、屈曲部が設けてあり、着脱の際には、板バネの付勢に抗して光源ユニットを下方に引き出し、夫々の屈曲部を係止孔に係合させることにより、板バネを支えとして固定枠の下方に離隔した位置での光源ユニットの仮止めを可能とし、作業性の改善を図っている。
【０００６】
また特許文献２に記載の照明装置においては、光源ユニットの一側に保持部を、他側に掛止部を夫々設け、掛止部を固定枠に掛け止めし、保持部を固定枠に保持させることで取り付け状態を保つように構成してある。着脱の際には、保持部の保持を解除し、掛止部を支点として垂れ下がった状態での光源ユニットの仮止めを可能とし、作業性の改善を図っている。
【先行技術文献】
【特許文献】
【０００７】
【特許文献１】特許第５２１３９８８号公報
【特許文献２】特許第５１７１６６１号公報
【発明の概要】
【発明が解決しようとする課題】
【０００８】
しかしながら、特許文献１に記載の照明装置においては、取り付け状態及び仮止め状態を実現するために、複数の曲げ部を設けた長寸の板バネが用いられており、取り付け強度の確保及び着脱の容易性を両立する適正な板バネの設計及び製造が難しく、製品コストが増大する虞れがある。
【０００９】
また特許文献２に記載の照明装置は、蛍光灯を光源とする照明装置との代替を図ることを前提とし、保持部を電源接続部として使用しており、電源接続用のソケット、及び掛止部を掛け止めするフックが固定枠内に突設された構成となっており、意匠上の制約が大きいという問題がある。また、保持部が電源接続部を兼ねるため、大型の光源ユニットを備える場合、安定した取り付け状態を維持することが難しいという問題がある。
【００１０】
本発明は斯かる事情に鑑みてなされたものであり、簡素な構成により、光源ユニットの確実な取り付けと、光源ユニットの着脱の容易性とを両立し得る照明装置を提供することを目的とする。
【課題を解決するための手段】
【００１１】
本発明に係る照明装置は、天井面に嵌め込み固定された固定枠と、光源を保持し、前記固定枠に着脱可能に組み付けられた光源ユニットとを備える照明装置において、前記光源ユニットは、一面に光源が固定された矩形の支持板と、該支持板の一辺から外向きに突出しており、先端部を広幅とし、基部を狭幅とした段付きの矩形平板状をなす係止部とを備え、前記固定枠は、周壁の一部に形成され、上側を広幅とし、下側を狭幅とした段付き穴状をなす保持穴を備えており、前記光源ユニットは、前記係止部を前記保持穴に夫々の狭幅部分で係合させ、前記支持板の他辺を前記固定枠にねじ止めして組み付けてあることを特徴とする。
【００１３】
また前記係止部は、前記支持板に一側を固定した板状の係合金具の他側を前記一辺の外側に突出させて設けてあることを特徴とする。
【００１４】
また前記係合金具は、長さ方向に沿って延びるリブを一体成形してある短冊形の板状部材であることを特徴とする。
【００１５】
また前記係止部の広幅部分の幅は、前記保持穴の広幅部分の幅よりも小さく、前記保持穴の狭幅部分の幅よりも大きくしてあり、前記係止部の狭幅部分の幅は、前記保持穴の狭幅部分の幅よりも小さくしてあることを特徴とする。
【発明の効果】
【００１６】
本発明においては、光源ユニットの確実な取り付けと、光源ユニットの着脱の容易性とを簡素な構成により実現することができる。
【図面の簡単な説明】
【００１７】
【図１】実施の形態１に係る照明装置の外観斜視図である。
【図２】図１中のII−II線による照明装置の断面図である。
【図３】固定枠の斜視図である。
【図４】光源ユニットの斜視図である。
【図５】係合金具の斜視図である。
【図６】支持板の背面側から見た光源ユニットの斜視図である。
【図７】係止部と保持部の対応関係の説明図である。
【図８】光源ユニットの取り付け手順の説明図である。
【図９】光源ユニットの取り付け手順の説明図である。
【図１０】保持穴の他の実施の形態を示す説明図である。
【図１１】係合金具の他の実施の形態を示す斜視図である。
【図１２】実施の形態に係る照明装置の外観斜視図である。
【発明を実施するための形態】
【００１８】
（実施の形態１）
図１は、実施の形態１に係る照明装置の外観斜視図、図２は、図１中のII−II線による照明装置の断面図である。図１に示す如く照明装置は、固定枠１と、該固定枠１に取り付けた光源ユニット２とを備える。
【００１９】
図３は、固定枠１の斜視図である。図示の如く固定枠１は、一側から他側に向けてテーパ状に拡大する矩形の枠本体１０と、該枠本体１０の一側の小開口を覆う蓋体１１とを備える。蓋体１１は、有底矩形の箱状をなし、開口側を枠本体１０の小開口に合わせて取り付けてある。一方、枠本体１０の他側には、同側の大開口から外向きに張り出す鍔縁１２が周設されている。
【００２０】
枠本体１０及び蓋体１１は、例えば、耐食性に優れた亜鉛メッキ鋼板の曲げ成形品であり、少なくとも枠本体１０の内面は、鍔縁１２の表面を含めて白色塗料により塗装し、高い光反射性が得られるように構成してある。
【００２１】
蓋体１１の底板の内面には、電源回路及び調光回路を内蔵する電源箱１３が取り付けてある。また蓋体１１の底板には、電源箱１３の両側に適長離れた位置を貫通する各２個の固定孔１４及び電源口１５が形成されており、更に、電源口１５の近くの内面に電源端子台１６及び調光端子台１７が設置されている。
【００２２】
一方、蓋体１１の一側の周壁には、２つの保持穴１８が貫通形成されている。これらの保持穴１８は、底板側の矩形の広幅部分と開口側の矩形の狭幅部分とを幅方向両側の段差を介して連続させた段付き穴の形態をなしており、前記周壁の長さ方向中央部の両側に振り分け配置されている。
【００２３】
以上の如く構成された固定枠１は、図２中に２点鎖線により示すように、天井３に開設された取り付け穴３０に蓋体１１の側を上向きとして嵌め込み、天井３の内部に別途設けたアンカーボルト（図示せず）を固定孔１４に通し、該アンカーボルトに螺合させたナットを蓋体１１の底板に締め付けることにより固定される。
【００２４】
この固定により、枠本体１０の大開口は下向きとなり、大開口を縁取る鍔縁１２は、取り付け穴３０の周縁を適幅に亘って覆い隠す作用をなす。枠本体１０及び蓋体１１は、蓋体１１を上として天井３の内側に位置し、蓋体１１の周壁に形成された保持穴１８は、広幅部分を上、狭幅部分を下として位置する。
【００２５】
図４は、光源ユニット２の斜視図である。光源ユニット２は、矩形の支持板２０の一面（正面）に取り付けた３つの拡散カバー２１を備える。支持板２０の形状及び大きさは、枠本体１０の小開口に対応している。拡散カバー２１は、支持板２０の短辺に相当する長さを有してアーチ形に成形された樹脂材料製の中空部材であり、透光性及び光拡散性を備えている。
【００２６】
３つの拡散カバー２１は、夫々の長手方向を支持板２０の短辺に沿わせ、支持板２０の中央部及び両側に適宜の間隔を隔てて並設してあり、夫々の拡散カバー２１の間には、反射板２２が配してある。反射板材２２は、支持板２０の短辺に相当する長さを有して山形成形されており、拡散カバー２１間の隙間を埋めるように頂部を外向きとして支持板２０に固定されている。
【００２７】
なお、支持板２０及び反射板２２は、例えば、亜鉛メッキ鋼板の表面を白色塗料により塗装し、高い光反射率が得られるように構成されている。
【００２８】
図２に示す如く、支持板２０の一面には、基板上に複数のＬＥＤを実装して構成された光源２３が複数固定されている。カバー部材２１は、夫々の光源２３の固定部分を囲うように取り付けてあり、光源２３の発光、より詳しくは、各ＬＥＤの発光は、カバー部材２１により拡散され、直接、又は支持板２０及び反射板２２による反射を経て支持板２０の正面側に出射される。
【００２９】
以上の如き光源ユニット２は、支持板２０の背面に取り付けた２つの係合金具４、４を備えている。図５は、係合金具４の斜視図、図６は、支持板２の背面側から見た光源ユニット２の斜視図であり、係合金具４の取り付け状態が示されている。
【００３０】
図５に示す如く係合金具４は、短冊形の平板を長さ方向の中途部でクランク状に曲げ成形して構成され、曲げ部の一側に延びる長寸の固定部４０と、他側に延びる短寸の係止部４１とを備えている。
【００３１】
固定部４０には、長さ方向に離隔した２箇所を貫通する固定孔４２、４２が形成され、これらの固定孔４２、４２の幅方向両側に、長さ方向に沿って延びるリブ４３、４３が屈曲箇所を含めて形成されている。一方、係止部４１は、屈曲部と連続する基端側に狭幅部分を有し、先端側に広幅部分を有する段付きの矩形平板状をなしている。なお図においては、係止部４１の基端部を幅方向の両側で切欠くことにより狭幅部を形成し、残された部分を広幅部分としているが、先端部を幅方向両側に拡張して広幅部分を形成してもよい。
【００３２】
以上の如き係合金具４は、外形の打ち抜き、曲げ成形、並びに固定孔４２、４２及びリブ４３、４３の形成を含めて単一の成形工程により低コストで製造することができる。係合金具４は、安価で加工が容易な鋼板製とすればよいが、耐食性も考慮に入れて、固定枠１及び光源ユニット２の支持板２０と同様の亜鉛メッキ鋼板製とするのが望ましい。
【００３３】
図５に示す如く、係合金具４が取り付けられる支持板２０の背面には、周縁に沿って曲げ強化用の背面リブ２４が設けられている。２つの係合金具４は、一側の短辺に沿う背面リブ２４の内側で支持板２０の背面に固定部４０を当て、前記固定孔４２、４２の夫々に通した止めねじ４４、４４により支持板２０に固定され、前記短辺の中央部の両側に振り分け配置されている。係合金具４の係止部４１は、当該位置の背面リブ２４を超えて外側に突出しており、図４には、２つの係合金具４、４の係止部４１、４１の突出部分が示されている。
【００３４】
係合金具４、４の固定位置は、固定枠１に設けられた保持穴１８、１８の位置に対応させてあり、各係合金具４の係止部４１の形状は、保持穴１８の形状に対応させてある。図７は、係止部４１と保持穴１８の対応関係の説明図であり、図７Ａは、係止部４１の平面形状を、図７Ｂは、保持穴１８の平面形状を夫々示している。
【００３５】
前述の如く、係止部４１は、基端側の狭幅部分と先端側の広幅部分とを有する段付きの矩形平板であり、また保持穴１８は、前述した取り付けにより上側に位置する広幅部分と、下側に位置する狭幅部分とを有する段付き穴である。図７に示す如く、係止部４１の狭幅部分の幅寸法をＸ，広幅部分の幅寸法をＹとし、保持穴１８の狭幅部分の幅寸法をＮ，広幅部分の幅寸法をＭとした場合、係止部４１及び保持穴１８は、Ｍ＞Ｙ＞Ｎ＞Ｘなる大小関係が得られるように寸法設定されている。
【００３６】
これにより、係止部４１は、先端側の広幅部分を保持穴１８上部の広幅部分に通すことにより該保持穴１８に差し込むことができ、この差し込みの後、基端側の狭幅部分を保持穴１８下部の狭幅部分に落とし込むことにより、該保持穴１８からの抜け出し不可に係合させることができる。
【００３７】
また支持板２０には、他側の短辺に沿う背面リブ２４の外側に２つの固定孔２５、２５が貫通形成されている。これらの固定孔２５、２５は、図４中にも示され、前記短辺の中央部の両側に振り分け配置されている。
【００３８】
図６中の２１ａは、前記カバー部材２１の夫々に設けられた係合爪であり、カバー部材２１は、支持板２０の該当位置に設けた係合孔に夫々の係合爪２１ａを係合させることにより、支持板２０に着脱可能に取り付けられている。また図６中の２３ａは、前記光源２３の夫々が備える接続端子であり、各光源２３は、夫々の接続端子２３ａを介して前記電源箱１３に接続可能としてある。
【００３９】
以上の如く構成された光源ユニット２は、支持板２０の一側に突出する係合金具４、４の係止部４１、４１を固定枠１の蓋体１１に設けた保持穴１８、１８に係合させ、支持板２０の他側を、前記固定穴２５、２５の夫々に通した止めねじ２６、２６により枠本体１０に固定することにより、図１に示す如く、カバー部材２１及び反射板２２が取り付けられた支持板２０の正面側を下向きとして固定枠１に取り付けられる。
【００４０】
図８、図９は、光源ユニット２の取り付け手順の説明図である。光源ユニット２の取り付けに際しては、まず、係合金具４、４が設けられた支持板２０の一側を、保持穴１８、１８が設けられた固定枠１の一側に位置合わせし、固定金具４、４の係止部４１、４１を保持穴１８、１８に係合させる。係止部４１と保持穴１８とは、前述の如く寸法設定された広幅部分及び狭幅部分を有しており、係止部４１の先端側の広幅部分を保持穴１８上部の広幅部分に差し込んだ後、係止部４１の基端側の狭幅部分を保持穴１８下部の狭幅部分に落とし込むことにより狭幅部分同士で係合する。このように係合した係止部４１は、先端側の広幅部分の作用により保持穴１８からの抜け出し不可となる。
【００４１】
この係合の後の光源ユニット２は、図８に示す如く、係合金具４、４を支えとし、自重により下方に垂れ下がる姿勢で仮止めすることができ、この状態で、固定枠１内の電源箱１３から延びる給電ケーブル１９と、支持板２０背面の接続端子２３ａから延びる受電ケーブル２７とを、夫々の先端のコネクタを介して接続する接続作業を実施することができる。
【００４２】
この接続作業の完了後、光源ユニット２は、図９に示す如く、支持板２０の他側を押し上げて固定枠１の枠本体１０内に受容させ、同側に設けた固定穴２５、２５の夫々に通した止めねじ２６、２６により枠本体１０に固定することにより、図１に示す如く取り付けられる。光源ユニット２が備える光源２３は、電源箱１３からの給電により発光し、この発光は、カバー部材２１による拡散、支持板２０及び反射板２２による反射を経て枠本体１０の大開口から下方に出射されて室内を照明する。
【００４３】
以上の如く取り付けられた光源ユニット２は、固定枠１の枠本体１０の小開口を全面で覆い、固定枠１内に突出部分が存在しない。これにより、意匠上の制約が少なく、見栄えの良好な照明装置を提供することができる。
【００４４】
光源ユニット２は、清掃、点検、交換等のメンテナンス作業の際には、以上の取り付け手順と逆の手順により取外すことができる、この取外しに際しても、光源ユニット２は、係合金具４、４を支えとして仮止めすることができ、作業者は、固定枠１の電源箱１３と光源ユニット２の光源２３との接続解除作業を、光源ユニット２を下支えすることなく実施することができる。
【００４５】
実施の形態の照明装置においては、固定枠１に段付き穴の形態をなす保持穴１８を設ける一方、光源ユニット２に段付き平板状の係止部４１を設ける簡素な構成により前述した仮止め状態を実現し、光源ユニット２の着脱を容易化することができる。
【００４６】
係合金具４に設けられたリブ４３、４３は、該係合金具４の厚さ方向の曲げ変形強度を高め、前述した仮止め状態、及び取り付け後の光源ユニット２の一側の支えを確実にする作用をなす。
【００４７】
（実施の形態２）
図１０は、保持穴１８の他の実施の形態を示す説明図である。図１０Ａに示す保持穴１８は、下側の狭幅部分の側壁にテーパ部１８ａを設け、該狭幅部分を下方に向けて縮幅する形状としてある。図１０Ｂに示す保持穴１８は、上側の広幅部分と下側の狭幅部分との間の角部に円弧状の面取り部１８ｂを形成してある。
【００４８】
これらの保持穴１８においては、テーパ部１８ａ及び面取り部１８ｂが、夫々の広幅部分に差し込まれた係止部４１を狭幅部分に落とし込む際の案内作用をなし、光源ユニット２の着脱時における係止部４１の係合及び係合解除を容易に実施することができる。
【００４９】
（実施の形態３）
図１１は、係合金具４の他の実施の形態を示す斜視図である。この係合金具４においては、固定部４０に設けられた２本のリブ４３、４３が、屈曲箇所を経て係止部４１にまで延設されている。この構成によれば、リブ４３、４３の作用により係止部４１の曲げ強度も高めることができ、前述した仮止め状態での光源ユニット２の一側の支えをより確実にすることができる。なお、リブ４３、４３の形成態様は、図５及び図１１に示す態様に限らず、形状、本数を含めて適宜の形成態様を採用することができる。
【００５０】
（実施の形態４）
図１２は、実施の形態４に係る照明装置の外観斜視図である。この照明装置は、矩形の支持板２０の一面（正面）に並設された２つの拡散カバー２１、２１と、これらの間に取り付けた反射板２２とを有する小型の光源ユニット２を備えている。この光源ユニット２は、支持板２０の一縁の中央部に取り付けた単一の係合金具４を備えており、前記一縁から突出する係止部４１を小型の固定枠１の該当位置に設けた単一の保持穴１８に係合させる一方、支持板２０の他側を止めねじ２６、２６により固定枠１に固定して照明装置を構成している。
【００５１】
このように、固定枠１及び光源ユニット２の大きさを変えて同様の照明装置を構成することが可能である。
【００５２】
以上説明した実施の形態に係る照明装置は、天井面に嵌め込み固定された固定枠１と、光源２３を保持し、前記固定枠１に着脱可能に組み付けられた光源ユニット２とを備える照明装置において、前記光源ユニット２は、一面に光源２３が固定された矩形の支持板２０と、該支持板２０の一辺から外向きに突出しており、先端部を広幅とし、基部を狭幅とした段付きの矩形平板状をなす係止部４１を備え、前記固定枠１は、周壁の一部に形成され、上側を広幅とし、下側を狭幅とした段付き穴状をなす保持穴１８を備えており、前記光源ユニット２は、前記係止部４１を前記保持穴１８に夫々の狭幅部分で係合させ、前記支持板２０の他辺を前記固定枠１にねじ止めして組み付けてある。
【００５３】
固定枠１と光源ユニット２とは、光源ユニット２の支持板２０の一辺に突設された係止部４１を固定枠１の周壁の一部に設けた保持穴１８に係合させ、支持板２０の他辺を固定枠１の枠本体１０に止めねじ２６により固定して組み付けてある。光源ユニット２は、係止部４１と保持穴１８の係合部分を支えとする簡素な構成により固定枠１から下方に垂れ下がる姿勢で仮止めすることができ、着脱作業を容易に実施することができる。
【００５５】
保持穴１８は、上側を広幅とし、下側を狭幅とした段付き穴状をなし、係止部４１は、先端部を広幅とし、基部を狭幅とした段付きの矩形平板状をなす。係止部４１と保持穴１８とは、係止部４１の広幅部分を保持穴１８の広幅部分に差し込み、係止部４１の狭幅部分を保持穴１８の狭幅部分に落とし込む簡易な手順により、狭幅部分同士で確実に係合させることができる。
【００５６】
また前記係止部４１は、前記支持板２０に一側を固定した板状の係合金具４の他側を前記一辺の外側に突出させて設けてある。
【００５７】
係止部４１は、板金部品として簡易に製造し得る係合金具４として、光源ユニット２に固定するための固定部４０を含めて構成することができる。
【００５８】
また前記係合金具４は、長さ方向に沿って延びるリブ４３を一体成形してある短冊形の板状部材である。
【００５９】
係合金具４は、リブ４３の作用により曲げ変形強度を高められており、光源ユニット２の仮止め状態を確実に維持し、取り付け後の光源ユニット２の一側の支え強度を確保することができる。
【００６０】
また前記係止部４１の広幅部分の幅Ｙは、前記保持穴１８の広幅部分の幅Ｍよりも小さく、前記保持穴１８の狭幅部分の幅Ｎよりも大きくしてあり、前記係止部４１の狭幅部分の幅Ｘは、前記保持穴１８の狭幅部分の幅Ｎよりも小さくしてある。
【００６１】
上記の寸法設定により、保持穴１８に対する係止部４１の差し込み及び落とし込みを確実に行わせ、両者の係合を良好に実現することができる。
【００６２】
なお、今回開示された実施の形態は、すべての点で例示であって制限的なものではないと考えられるべきである。本発明の範囲は、上記した意味ではなく、特許請求の範囲によって示され、特許請求の範囲と均等な意味および範囲内でのすべての変更が含まれることが意図される。
【符号の説明】
【００６３】
１  固定枠
２  光源ユニット
４  係合金具
１８  保持穴
２３  光源
４１  係止部
４３  リブ
【図１】
0006695137.tif 000002
【図２】
0006695137.tif 000003
【図３】
0006695137.tif 000004
【図４】
0006695137.tif 000005
【図５】
0006695137.tif 000006
【図６】
0006695137.tif 000007
【図７】
0006695137.tif 000008
【図８】
0006695137.tif 000009
【図９】
0006695137.tif 000010
【図１０】
0006695137.tif 000011
【図１１】
0006695137.tif 000012
【図１２】
0006695137.tif 000013